(57)【要約】【課題】吸気フィルタが前方から見えることなく、掃除および交換などのメンテナンスを容易に行うことができる。【解決手段】本体１と、被洗浄物５を収容する食器かご４と、本体１内に設けられ食器かご４を収容する洗浄槽２と、食器かご４を前後方向に出し入れして開閉する扉１ａと、被洗浄物５を洗浄する洗浄ポンプ６などの洗浄装置と、洗浄槽２の内部に外気を導入する送風ファン１４、吸気路１５および吸気フィルタ１６と、洗浄槽２の下部を覆うアンダーカバー１８と、洗浄運転において、少なくとも、洗い工程、すすぎ工程および乾燥工程のいずれかを実行する制御部１９と、を備え、アンダーカバー１８は、吸気路１５の吸気路口１５ａを有する。【選択図】図１
2019208583.tif 000002
【特許請求の範囲】
【請求項１】
本体と、被洗浄物を収容する食器かごと、前記本体内に設けられ前記食器かごを収容する洗浄槽と、前記食器かごを前後方向に出し入れして開閉する扉と、前記被洗浄物を洗浄する洗浄装置と、前記洗浄槽の内部に外気を導入する送風ファン、吸気路および吸気フィルタと、前記洗浄槽の下部を覆うアンダーカバーと、洗浄運転において、少なくとも、洗い工程、すすぎ工程および乾燥工程のいずれかを実行する制御部と、を備え、
前記アンダーカバーは、前記吸気路の吸気路口を有する、
食器洗い機。
【請求項２】
前記吸気フィルタは、前記アンダーカバーを外すことにより交換可能となるように構成される、
請求項１記載の食器洗い機。
【発明の詳細な説明】
【技術分野】
【０００１】
本発明は、洗浄槽内に収納された食器等の被洗浄物を洗浄する食器洗い機に関する。
【背景技術】
【０００２】
従来の食器洗い機が、図６に示される。図６は、従来の食器洗い機の縦断面図である。本体１１６の内部に洗浄槽１１５が設けられる。底部には洗浄水を循環させる洗浄ポンプ１１７が設けられる。合成樹脂で成型された台枠１２３は、洗浄槽１１６の下部を支持するとともに、その下面には下方に開放した略凹部１２３ａを形成し、この台枠１２３の凹部１２３ａを下方から覆う部材１２４と凹部１２３ａとで吸気通路１２５を構成する。この吸気通路１２５の途中の内部に仕切板１２７を配設してファンケーシング１３６を形成し、このファンケーシング１３６内に排気ファン１２６を配する。ファンモータ１２８は、回転軸を鉛直方向に配置する。吸気通路１２６を構成する台枠１２３の前面には吸気フィルター１２９が前方より着脱自在に装着される。その吸気面１３０は台枠１２３の下面に有する。
【０００３】
以上の構成により、吸気フィルターが本体より前方へ着脱可能であるので吸気フィルターの操作性が向上する。
【０００４】
また、他の従来の引き出し式食器洗い機は、吸気フィルタを洗浄槽の下部に備え、下部に設けられた部品が見えない程度のカバーに覆われる。送風装置は、本体などの隙間から侵入する外気を吸入する。
【先行技術文献】
【特許文献】
【０００５】
【特許文献１】特開平０１−２４９０２９号公報
【発明の概要】
【発明が解決しようとする課題】
【０００６】
しかしながら、従来の食器洗い機は、吸気フィルターは前方へ着脱されるので、吸気フィルターの持ち手などが前面に現れ、前方から見えるので外観を損ねる課題がある。
【０００７】
また、他の従来の引き出し式食器洗い機は、吸気フィルタを洗浄槽の下部に備えて前方から見えることはないものの、カバーに覆われて吸気フィルタの状態が確認できないとともに、容易に掃除ができない課題がある。
【０００８】
本発明は、前記従来の課題を解決するもので、吸気フィルタが前方から見えることなく、掃除および交換などのメンテナンスを容易に行える食器洗い機を提供することを目的とする。
【課題を解決するための手段】
【０００９】
本発明の食器洗い機は、上記目的を達成するために、本体と、被洗浄物を収容する食器かごと、前記本体内に設けられ前記食器かごを収容する洗浄槽と、前記食器かごを前後方向に出し入れして開閉する扉と、前記被洗浄物を洗浄する洗浄装置と、前記洗浄槽の内部に外気を導入する送風ファン、吸気路および吸気フィルタと、前記洗浄槽の下部を覆うアンダーカバーと、洗浄運転において、少なくとも、洗い工程、すすぎ工程および乾燥工程のいずれかを実行する制御部と、を備え、前記アンダーカバーは、前記吸気路の吸気路口を有する。
【００１０】
この構成によって、吸気フィルタが前方から見えることなく、掃除および交換などのメンテナンスを容易に行うことができる。
【発明の効果】
【００１１】
本発明の食器洗い機は、吸気フィルタが前方から見えることなく、掃除および交換などのメンテナンスを容易に行うことができる。
【図面の簡単な説明】
【００１２】
【図１】本発明の実施の形態１における食器洗い機の側面断面図
【図２】本実施の形態における食器洗い機の下方から見た斜視図
【図３】本実施の形態における食器洗い機の下方から見た要部斜視図
【図４】本実施の形態における食器洗い機の吸気路近傍の縦断面図
【図５】本発明の他の実施の形態における食器洗い機の斜視図
【図６】従来の食器洗い機の側面断面図
【発明を実施するための形態】
【００１３】
第１の発明の食器洗い機は、
本体と、被洗浄物を収容する食器かごと、前記本体内に設けられ前記食器かごを収容する洗浄槽と、前記食器かごを前後方向に出し入れして開閉する扉と、前記被洗浄物を洗浄する洗浄装置と、前記洗浄槽の内部に外気を導入する送風ファン、吸気路および吸気フィルタと、前記洗浄槽の下部を覆うアンダーカバーと、洗浄運転において、少なくとも、洗い工程、すすぎ工程および乾燥工程のいずれかを実行する制御部と、を備え、前記アンダーカバーは、前記吸気路の吸気路口を有する。この構成によって、吸気フィルタが前方から見えることなく、掃除および交換などのメンテナンスを容易に行うことができる。
【００１４】
第２の発明は、特に、第１の発明において、
前記吸気フィルタは、前記アンダーカバーを外すことにより交換可能となるように構成される。この構成によって、掃除および交換などのメンテナンスを容易に行うことができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における食器洗い機の側面断面図である。なお、図１は、食器洗い機がシステムキッチンＳＫにビルトインされた状態を示す。
【００１７】
図１に示すように、本実施の形態の食器洗い機は、本体１と、扉１ａと、洗浄槽２と、洗浄ポンプ６と、給水弁１０などを含む。なお、以降の各実施の形態において、図中に示すように、前方向は扉１ａおよび洗浄槽２が引き出される方向、後方向は洗浄槽２が収納され扉１ａが閉じられる方向、として説明する。また、食器洗い機の設置側を下方、反対側を上方とし、さらに、扉１ａの正面に向かって右側を右方、左側を左方として、説明する。
【００１８】
具体的には、洗浄槽２は、内部に、食器かご４と、洗浄ノズル７と、排水口８と、残さいフィルタ８ａなどを含む。洗浄槽２は、本体１の内部に、前後方向に出し入れ可能に設けられる。洗浄槽２は、上面に開口部２ａを有する。開口部２ａは、本体１内に収容されたときに、本体１内に配設される蓋３で閉塞される。食器かご４は、食器などの被洗浄物５が載置される。扉１ａは、洗浄槽２の前部に設けられ、本体１の前面を開閉する。給水
弁１０は、本体１の後部内側に設けられる。給水弁１０は、開放により、洗浄水となる、例えば水道水を、洗浄槽２に供給する。
【００１９】
被洗浄物５を洗浄する洗浄装置は、洗浄ポンプ６、洗浄ノズル７、ヒータ９などを含む。洗浄ポンプ６は洗浄槽２の底面外側、洗浄ノズル７は洗浄槽２内の底部に設けられる。洗浄ポンプ６は、洗浄槽２内に溜められた洗浄水を洗浄ノズル７に加圧して供給、すなわち圧送する。洗浄ノズル７は、圧送された洗浄水の反力により回転しながら、被洗浄物５に向けて洗浄水を噴射する。洗浄ノズル７から噴射された洗浄水は、被洗浄物５に衝突して洗浄を行う。なお、洗浄水は、洗剤を含んで被洗浄物５に噴射される洗浄液と、被洗浄物５をすすぐためのすすぎ水とを含む。
【００２０】
排水口８とヒータ９は、洗浄槽２内の底部に設けられる。残さいフィルタ８ａは、排水口８に着脱自在に設けられ、被洗浄物５から洗浄、除去された残さいを捕集する。ヒータ９は、洗い工程において、洗浄槽２内に溜められた洗浄水を加熱する。ヒータ９は、乾燥工程において、洗浄槽２内の乾燥用空気を加熱する。温度センサ１１は、洗浄槽２の底面外側に配設され、洗浄槽２の温度を検知する。
【００２１】
なお、洗浄ポンプ６は、吸い込み側が排水口８に連通され、残さいフィルタ８ａで残さいが除去された洗浄水を循環させる。さらに、洗浄ポンプ６は、循環時のモータの回転方向を反転させることにより、残さいが除去された洗浄水を排水する排水ポンプとして構成される。なお、排水用の排水ポンプが別途設けられ、洗浄ポンプ６は洗浄水の循環専用に設けられてもよい。
【００２２】
被洗浄物５を乾燥する乾燥装置が、洗浄槽２と扉１ａとの間に設けられる。乾燥装置は、第２連通通路である給気通路１２と、排気経路となる連通通路１３と、送風ファン１４と、送風ファン１４までの吸気路１５と、吸気路１５に設けられる吸気フィルタ１６と、排気口１７と、ヒータ９などを有する。給気通路１２および連通通路１３は、それぞれ洗浄槽２の内部と本体１の外部とを連通する。排気口１７は、扉１ａに設けられる。
【００２３】
給気通路１２に送風ファン１４が設けられる。送風ファン１４の上流側には吸気路１５が設けられる。吸気路１５の途中に吸気フィルタ１６が設けられる。送風ファン１４は、洗浄槽２内に外部の空気を導入する。この導入圧力によって、洗浄槽２内の空気が、連通通路１３を介して排気口１７から外部に排出される。吸気フィルタ１６は、吸入される空気の埃などを捕集する。ヒータ９は、乾燥工程において、送風ファン１４により給気通路１２を介して導入される乾燥用空気を加熱する。
【００２４】
洗浄槽２の下部に、洗浄ポンプ６、配管および配線などを覆うアンダーカバー１８が設けられる。アンダーカバー１８は、これらの部品を覆い隠し、洗浄槽２が本体１から引き出されたときの見栄えを向上する。アンダーカバー１８は、本体１内の空間に開放される吸気路口１５ａを有する。
【００２５】
さらに、制御部１９が、洗浄槽２と扉１ａとの間の空間Ｓ２に設けられる。制御部１９は、洗浄運転において、少なくとも、洗い工程、すすぎ工程および乾燥工程のいずれかを実行し、洗浄装置、送風ファン１４などを制御する。特に、連通部の送風ファン１４は、乾燥工程において運転される。これにより、被洗浄物５および洗浄槽２内部の乾燥が効率よく行われ、乾燥時間が短縮される。
【００２６】
図２は、本実施の形態における食器洗い機の下方から見た斜視図である。図３は、本実施の形態における食器洗い機のアンダーカバー１８を下方から見た要部斜視図である。図４は、本実施の形態における食器洗い機の吸気路１５近傍の縦断面図である。
【００２７】
アンダーカバー１８の底面に吸気路１５と吸気路口１５ａが設けられる。格子部１６ａが、吸気フィルタ１６の上流側にアンダーカバー１８と一体に設けられる。格子部１６ａは、吸気フィルタ１６が捕集した埃などを掃除機で吸引されるときに、吸気フィルタ１６を保護する。吸気フィルタ１６は、洗浄槽２側の吸気路１５に仮止めされる。そして、アンダーカバー１８が固定されることにより完全に固定される。
【００２８】
吸気フィルタ１６は、このように構成されることにより、通常は外部から見えることがなく、外観を損ねることがない。使用者は、洗浄槽２を引き出すことにより、吸気フィルタ１６の汚れ状況を確認できる。そして、適当な時期に吸気フィルタ１６に捕集された埃を掃除機などで吸引し、掃除することができる。また、吸気フィルタ１６は、アンダーカバー１８を外すことにより交換が可能になる。このように吸気フィルタ１６がメンテナンスされることにより、乾燥工程時の風量低下が防止され、乾燥効率の低下が抑制される。
【００２９】
なお、上記説明では、吸気フィルタ１６がアンダーカバー１８の底面に設けられることとしたが、これに限られない。例えば、図２に示すようにアンダーカバー１８の左右の側面１８ａの設けられてもよい。
【００３０】
以上説明したように、本体１と、被洗浄物５を収容する食器かご４と、本体１内に設けられ食器かご４を収容する洗浄槽２と、食器かご４を前後方向に出し入れして開閉する扉１ａと、被洗浄物５を洗浄する洗浄ポンプ６などの洗浄装置と、洗浄槽２の内部に外気を導入する送風ファン１４、吸気路１５および吸気フィルタ１６と、洗浄槽２の下部を覆うアンダーカバー１８と、洗浄運転において、少なくとも、洗い工程、すすぎ工程および乾燥工程のいずれかを実行する制御部１９と、を備え、アンダーカバー１８は、吸気路１５の吸気路口１５ａを有する。この構成によって、吸気フィルタが前方から見えることなく、掃除および交換などのメンテナンスを容易に行うことができる。
【００３１】
また、本実施の形態の食器洗い機においては、洗浄槽２が引き出し式の構成で説明したが、図５に示すような引き出し式の食器洗い機でも適用できる。図５において、本体７１の内部に洗浄槽７２が構成される。扉７３は、支持レール７４によって支えられ、前後にスライドして洗浄槽７２の前面開口部７２ａを開閉する。食器かご７５はかごレール７６によって支えられ、扉７３に係止されて前後にスライドする。送風装置および連通部は、扉７３の内部に構成され、前面に排気口７７を備える。送風装置は、扉７３の側面または下面などに設けられた開口部７８から外部の空気を導入することが可能である。
【産業上の利用可能性】
【００３２】
以上のように、本発明にかかる食器洗い機は、吸気フィルタが前方から見えることなく、掃除および交換などのメンテナンスを容易に行うことができるので、家庭用の食器洗い機として有用である。
【符号の説明】
【００３３】
１  本体
１ａ  扉
２  洗浄槽
２ａ  開口部
３  蓋
４  食器かご
５  被洗浄物
６  洗浄ポンプ
７  洗浄ノズル
８  排水口
９  ヒータ
１０  給水弁
１１  温度センサ
１２  給気通路（第２連通通路）
１３  連通通路
１４  送風ファン
１５  吸気路
１５ａ  吸気路口
１６  吸気フィルタ
１６ａ  格子部
１７  排気口
１８  アンダーカバー
１８ａ  側面
１９  制御部
７１  本体
７２  洗浄槽
７２ａ  前面開口部
７３  扉
７４  支持レール
７５  食器かご
７６  かごレール
７７  排気口
７８  開口部
ＳＫ  システムキッチン
【図１】
2019208583.tif 000003
【図２】
2019208583.tif 000004
【図３】
2019208583.tif 000005
【図４】
2019208583.tif 000006
【図５】
2019208583.tif 000007
【図６】
2019208583.tif 000008